(57)【要約】【課題】加熱庫内で被調理物を加熱して油煙が発生し、使用者が定期的に油煙付着捕集プレートをとりはずして、付着した油脂を清掃することが可能となること。【解決手段】加熱庫７から本体１外へ連通接続され排気経路を形成する排気筒１６内の本体１外方側に、本体１外から着脱可能とした油煙付着捕集プレート１７を設けたことにより、油煙付着捕集プレートをとりはずし付着した油脂を清掃することができるので、メンテナンス性を向上することができる。【選択図】図１
2018038697.tif 000002
【特許請求の範囲】
【請求項１】
本体に、被加熱物を加熱する加熱手段を有する加熱庫と、前記加熱庫から前記本体外へ連通接続され排気経路を形成する排気筒と、を備え、
前記排気筒内の前記本体外方側に、前記本体外から着脱可能とした油煙付着捕集プレートを設けた加熱調理器。
【請求項２】
前記油煙付着捕集プレートに凹凸形状を少なくとも１箇所以上設けた請求項１に記載の加熱調理器。
【請求項３】
前記油煙付着捕集プレートは、前記排気筒の排気経路と略平行な面を有し、前記排気筒と前記油煙付着捕集プレートで仕切られた空間が広い方に凸形状を設けた請求項２に記載の加熱調理器。
【請求項４】
前記油煙付着捕集プレートを前記本体に取り付けた状態における前記油煙付着捕集プレートの下部に、前記油煙付着捕集プレートと略直角に形成された油受け部を設けた請求項１に記載の加熱調理器。
【請求項５】
前記油受け部は凸形状が形成された側に設けた請求項４に記載の加熱調理器。
【請求項６】
前記油受け部に凹みを設けた請求項４または請求項５に記載の加熱調理器。
【請求項７】
前記油煙付着捕集プレートに、前記油受け部へ向かう溝を設けた請求項４または請求項５に記載の加熱調理器。
【請求項８】
前記油煙付着捕集プレートに孔を設けた請求項１に記載の加熱調理器。
【請求項９】
前記本体に取り付けた状態における前記油煙付着捕集プレートの両側部に引っ掛け部を設け、前記引っ掛け部に相対する位置の前記排気筒の内側に保持部を設けた請求項１に記載の加熱調理器。
【請求項１０】
前記両側部は両端を折り曲げ、前記油煙付着捕集プレートをコの字形状とし、コの字の両側面が前記排気筒の一対面と平行となっており、コの字の両側面の前記排気筒側に前記引っ掛け部を設け、前記引っ掛け部に相対する位置の前記排気筒の内側に前記保持部を設けて掛ける構成とした請求項９に記載の加熱調理器。
【請求項１１】
前記油煙付着捕集プレートの上部に前記排気筒の開口最大寸法よりも大なるフランジ部を設けた請求項１に記載の加熱調理器。
【請求項１２】
前記油煙付着捕集プレートを製品に取り付けた状態における前記油煙付着捕集プレートの上部に穴または凹凸形状のつまみ部を設けた請求項１に記載の加熱調理器。
【請求項１３】
前記油煙付着捕集プレートに高温であることの注意を促す文字やマークを設けた請求項１に記載の加熱調理器。
【請求項１４】
前記油煙付着捕集プレートに前記本体に取り付ける方向を表す文字やマークを設けた請求項１に記載の加熱調理器。
【発明の詳細な説明】
【技術分野】
【０００１】
本発明は、一般家庭等で使用する、魚などの被調理物を調理する加熱庫を備える加熱調理器に関するものである。
【背景技術】
【０００２】
従来、この種の加熱調理器は、加熱庫内で加熱される被加熱物から出る油煙の油脂分を除去するために、加熱庫内から排出される油煙を排気経路内に設けた触媒４１により分解し、機体外へ排出する構成をとっている（例えば、特許文献１参照）。
【０００３】
図７は、特許文献１に記載された従来の加熱調理器の加熱庫および排気構成を示す断面図を示すものである。
【先行技術文献】
【特許文献】
【０００４】
【特許文献１】特許第５１０６９２９号公報
【発明の概要】
【発明が解決しようとする課題】
【０００５】
しかしながら、前記従来の構成では、触媒性能が低下すると、劣化した触媒４１（図７に示す）を廃棄して新しい触媒と交換しなければならず、修理サービス専門者に依頼して交換をしてもらわなければいけないという課題を有していた。
【０００６】
本発明は、前記従来の課題を解決するもので、加熱庫内から本体外へ油煙を排出する排気経路内の本体外方側に設けた油煙付着捕集油煙付着捕集プレートを着脱可能とすることで、使用者が定期的に油煙付着捕集油煙付着捕集プレートをとりはずして、付着した油脂を清掃可能とし、メンテナンス性を向上することができる加熱調理器を提供することを目的としている。
【課題を解決するための手段】
【０００７】
前記従来の課題を解決するために、本発明の加熱調理器は、本体に、被加熱物を加熱する加熱手段を有する加熱庫と、前記加熱庫から前記本体外へ連通接続され排気経路を形成する排気筒と、を備え、前記排気筒内の本体外方側に、前記本体外から着脱可能とした油煙付着捕集プレートを設けたものである。
【０００８】
これによって、使用者が定期的に油煙付着捕集プレートをとりはずし、付着した油脂を清掃することが可能となる。
【発明の効果】
【０００９】
本発明の加熱調理器は、使用者が定期的に油煙付着捕集プレートをとりはずし、付着した油脂を清掃することが可能となり、メンテナンス性を向上することができる。
【図面の簡単な説明】
【００１０】
【図１】本発明の第１の実施の形態の加熱調理器の構成概略図
【図２】本発明の第１の実施の形態の加熱調理器の加熱庫および排気構成を示す断面図
【図３】本発明の第１の実施の形態の油煙付着捕集プレートの斜視図
【図４】本発明の第１の実施の形態の油煙付着捕集プレートセット前後の斜視図
【図５】本発明の第１の実施の形態の油煙付着捕集プレートセット断面図
【図６】本発明の第１の実施の形態の油煙付着捕集プレートセット前後の平面図
【図７】特許文献１に記載された従来の加熱調理器の加熱庫および排気構成を示す断面図
【発明を実施するための形態】
【００１１】
第１の発明は、本体に、被加熱物を加熱する加熱手段を有する加熱庫と、前記加熱庫から前記本体外へ連通接続され排気経路を形成する排気筒と、を備え、前記排気筒内の前記本体外方側に、前記本体外から着脱可能とした油煙付着捕集プレートを設けたことにより、使用者が定期的に油煙付着捕集プレートをとりはずして、付着した油脂を清掃することが可能となり、メンテナンス性を向上することができる。
【００１２】
第２の発明は、特に、第１の発明の前記油煙付着捕集プレートに凹凸形状を少なくとも１箇所以上設けることにより、排気経路内の油煙が凹凸形状に衝突して油煙の油脂分の付着が増加することとなり、機体外へ排出される油脂分を低減することができる。
【００１３】
第３の発明は、特に、第２の発明の前記油煙付着捕集プレートは、前記排気筒の排気経路と略平行な面を有し、前記排気筒と前記油煙付着捕集プレートで仕切られた空間が広い方に凸形状を設けたことにより、空間が広い分、凸形状による排気経路内の通気抵抗の増加を、前記排気筒と前記油煙付着捕集プレートで仕切られた空間が狭い方に凸形状を設けた場合よりも抑えることができ、凸形状に油煙の油脂分を付着させることができる。
【００１４】
第４の発明は、特に、第１の発明の前記油煙付着捕集プレートを前記本体に取り付けた状態における前記油煙付着捕集プレートの下部に前記油煙付着捕集プレートと略直角に形成された油受け部を設けたことにより、垂れ落ちる油煙付着捕集プレートに付着した油脂分を油受け部に溜めることができ、排気経路内へ、油脂分が垂れて付着することを低減することができる。
【００１５】
第５の発明は、特に、第４の発明の前記油受け部は凸形状が形成された側に設けたことにより、凹凸で比較すると、凸形状の方が、排気経路内の油煙が衝突しやすく、排気経路内の油煙の油脂分が比較的付着しやすいため、付着した油脂分も多く垂れ落ちる油脂分が多くなる。より多く油脂分が垂れる下側に油受け部を設けることで、排気経路内へ、油脂分が垂れて残ることを低減することができる。
【００１６】
第６の発明は、特に、第４または第５の発明の前記油受け部に凹みを設けたことにより、垂れ落ちる油煙付着捕集プレートに付着した油脂分を油受けの凹みにより多く溜めることができ、取り外す際も、油脂分がこぼれにくくすることができる。
【００１７】
第７の発明は、特に、第４または第５の発明の前記油煙付着捕集プレートに、前記油受け部へ向かう溝を設けたことにより、油煙付着捕集プレートに付着した油脂分が油受け部へ向かう溝により油受け部に誘導され、油受け部に効率よくためることができる。そのため、排気経路内へ、油脂分が垂れ落ちることを低減することができる。
【００１８】
第８の発明は、特に、第１の発明の前記油煙付着捕集プレートに孔を設けたことにより、油煙が穴を通過し、それにより、油煙付着捕集プレートに油煙が衝突しやすくなり、油煙の油脂分の付着を増加することができる。
【００１９】
第９の発明は、特に、第１の発明の前記本体に取り付けた状態における前記油煙付着捕集プレートの両側部に引っ掛け部を設け、前記引っ掛け部に相対する位置の前記排気筒の内側に保持部を設けたことにより、本体外方から油煙付着捕集プレートを挿入し、排気筒
の内側の保持部に油煙付着捕集プレートの引っ掛け部を掛けてセットでき、油煙付着捕集プレートの着脱を容易に行うことができる。
【００２０】
第１０の発明は、特に、第９の発明の前記両側部は両端を折り曲げ、前記油煙付着捕集プレートをコの字形状とし、コの字の両側面が前記排気筒の一対面と平行となっており、コの字の両側面の前記排気筒側に前記引っ掛け部を設け、前記引っ掛け部に相対する位置の前記排気筒の内側に前記保持部を設けて掛ける構成としたことにより、排気筒に沿うように本体外方から油煙付着捕集プレートをスライドさせて挿入し、排気筒の切欠き部に油煙付着捕集プレートの突起を掛けてセットでき、油煙付着捕集プレートの着脱を容易に行うことができる。また、コの字形状により、油煙付着捕集プレートの強度が増し、着脱や清掃時の変形を軽減することができる。
【００２１】
第１１の発明は、特に、第１の発明の前記油煙付着捕集プレートの上部に前記排気筒の開口最大寸法よりも大なるフランジ部を設けたことにより、油煙付着捕集プレートを排気筒の開口に挿入した際に、フランジ部がかかり、排気筒内部へ脱落することがなく、また、排気筒の開口に誤った方向で挿入した際に、フランジ部があたり、油煙付着捕集プレートの上下挿入方向を間違えることがなく、誤セットを防ぐことができる。
【００２２】
第１２の発明は、特に、第１の発明の前記油煙付着捕集プレートを製品に取り付けた状態における前記油煙付着捕集プレートの上部に穴または凹凸形状のつまみ部を設けたことにより、油煙付着捕集プレートを取り外す際に、つまみ部をつかんで、容易に取り外すことができる。
【００２３】
第１３の発明は、特に、第１の発明の前記油煙付着捕集プレートに高温であることの注意を促す文字やマークを設けたことにより、使用者に特に取り外す際に、油煙付着捕集プレートをさわってやけどをしないよう注意を促すことができる。
【００２４】
第１４の発明は、特に、第１の発明の前記油煙付着捕集プレートに前記本体に取り付ける方向を表す文字やマークを設けたことにより、使用者に取り付ける方向を認識できるようにし、より容易に油煙付着捕集プレートをセットすることができる。
【００２５】
以下、本発明の実施の形態について、図面を参照しながら説明する。なお、この実施の形態によって本発明が限定されるものではない。
【００２６】
（実施の形態１）
図１は、本発明の第１の実施の形態における加熱調理器の構成概略図を示すものである。
【００２７】
加熱調理器であるこの誘導加熱調理器は、一例として、システムキッチンのキャビネットに組み込んで使用する構成のものを示している。
【００２８】
図１に示すように、本実施の形態における加熱調理器である誘導加熱調理器は、外郭を構成する本体１と、本体１の上部に設けた鍋、フライパンなどの被加熱物を載置するトッププレート２と、トッププレート２の下部に設けた被加熱物を誘導加熱する左右後に配した加熱コイル３と、左・右・後の加熱コイル３へ電流を供給し駆動制御する制御回路４と、左右後加熱コイルと制御回路４を冷却するために送風する送風機５と、本体１の前面に設けた動作状態の表示・操作部６を備えている。
【００２９】
本体１は、その内部の左下方に加熱庫７を備えており、その右側に制御回路４が樹脂製のベースにより固定され配置されている。
【００３０】
そして、本体１の上方のトッププレート２の左右後方には排気開口部８を設けている。この排気開口部８は左・右・後の加熱コイル３と制御回路４を冷却するために送風する送風機５の排気を機体外へ排出する冷却用排気口９と加熱庫７の排気を機体外へ排出する加熱庫用排気口１０を有している。
【００３１】
図２は、本発明の第１の実施の形態の加熱調理器の加熱庫および排気構成を示す断面図である。図３は、本発明の第１の実施の形態の油煙付着捕集プレートの斜視図。図４は、本発明の第１の実施の形態の油煙付着捕集プレートセット前後の斜視図。図５は、本発明の第１の実施の形態の油煙付着捕集プレートセット断面図。図６は、本発明の第１の実施の形態の油煙付着捕集プレートセット前後の平面図である。
【００３２】
加熱庫７は、上ケース１１と下ガラス１２により箱状に形成されており、上ケース１１はホーロを施した鋼板で形成され、下ガラス１２は結晶化ガラスの板材で形成されている。また、加熱庫７の上部に加熱を行う上加熱体１３が固定金具により取り付けられ、下ガラスの下方に下からの加熱を行う下加熱体１４が固定部材により取り付けられている。上加熱体１３はミラクロンヒーターを用いており、下加熱体１４は誘導加熱コイルで、誘導加熱により、下ガラス上に置かれた磁性体からなる加熱皿１５を加熱することができる。加熱庫７の後方には加熱庫後面の開口穴から上向きに開口した加熱庫用排気口１０へ連通接続され排気経路を形成する長方形の開口穴が連続した形の鋼板でつくられた排気筒１６が設けられており、加熱庫用排気口１０から、機体外方へ加熱庫内の油煙が排出される。
【００３３】
油煙付着捕集プレート１７は厚み１ｍｍのステンレス板で形成されている。本体１に取り付けた状態における油煙付着捕集プレート１７の両側部１８は、両端を折り曲げて形成され、油煙付着捕集プレート１７はコの字形状となっている。
【００３４】
図３、図４に示すように、コの字の両側面が排気筒１６の一対面と平行となっており、コの字の両側面の排気筒１６側に引っ掛け部１９である突起を設けており、引っ掛け部１９である突起に相対する位置の排気筒１６の内側に、排気筒１６とは別部材で形成した保持部材に保持部２０である切欠き部を設けて引っ掛ける構成としている。
【００３５】
油煙付着捕集プレート１７のコの字形状の中央面は、排気筒１６の排気経路と略平行な面で、排気筒１６と油煙付着捕集プレート１７で仕切られた空間が広い方の側に凸形状２１を設け、凸形状２１の裏側の狭い方の側となる反対側に凹形状２２を設け、さらに、中央面に貫通穴２３を設けている。
【００３６】
そして、油煙付着捕集プレート１７を本体１に取り付けた状態における油煙付着捕集プレート１７の下部に油煙付着捕集プレート１７と略直角に、コの字の油煙付着捕集プレート１７の中央面の凸形状２１が形成された側に形成された油受け部２４を設けている。油受け部２４は下側への凹み形状２５が形成されている。そしてさらに、コの字の油煙付着捕集プレート１７の中央面に、油受け部へ向かう溝２６を設けている。
【００３７】
さらに、油煙付着捕集プレート１７の上部のコの字外方側に排気筒１６の加熱庫用排気口１０の開口最大寸法よりも大なるフランジ部２７を設けている。
【００３８】
そしてさらに、油煙付着捕集プレート１７を製品に取り付けた状態における油煙付着捕集プレート１７の上部に穴および凹凸形状のつまみ部２８を設けている。
【００３９】
さらに、油煙付着捕集プレート１７に高温であることの注意を促す文字２９「高温注意」を罫書きラインで設けるとともに、油煙付着捕集プレート１７に本体１に取り付ける方
向を表す文字３０「テマエ」や方向を表すマーク３１「↓」を罫書きラインで設けている。
【００４０】
以上のように構成された加熱調理器である誘導加熱調理器について、以下、その動作、作用を説明する。
【００４１】
まず、本体１外の上方から上開口した加熱庫用排気口１０に、排気筒１６に沿うように油煙付着捕集プレート１７をスライドさせて挿入し、排気筒１６の内側の保持部２０である切欠き部に油煙付着捕集油煙付着捕集プレートの引っ掛け部１９である突起を引っ掛けてセットする。この際、油煙付着捕集プレート１７に設けられた、本体１に取り付ける方向を表す文字「テマエ」が書かれた方を使用者側に向け、挿入方向を表すマーク「↓」を下向きにして挿入する。
【００４２】
以上で油煙付着捕集プレート１７のセットが完了する。
【００４３】
そして、セット後、さんまなどの調理物（被調理物）を加熱皿１５にのせて、加熱庫７にいれ、扉を閉めて加熱する。加熱により、調理物より油煙が発生し、発生した油煙は加熱庫７後の排気筒１６を通って加熱庫用排気口１０から機体外方へ排出される。その際、排気筒１６内にセットされた油煙付着捕集プレート１７に油煙が衝突して付着する。特に、排気筒１６と油煙付着捕集プレート１７で仕切られた空間が広い方の側、手前側、に油煙を含んだ空気が多くとおり、この通気経路面に設けた凸形状２１に油煙があたり、付着が促進される。また、反対面の凹形状２２により、狭い側、奥側、を通気する空気が物体に沿って流れるため、凹部でまっすぐ上に出ようとする経路から曲げられ、乱流することにより付着が促進される。そしてまた、この面にもうけられた穴を通して、通気する際に、乱流がおこりより、より付着が促進される。凸形状２１の方が上方へ向かう気流と衝突しやすく、凸形状２１の方が油の付着量は多い。
【００４４】
付着した油煙の油は、重力により、油煙付着捕集プレート１７を伝わって付着した位置から下方へ流れ、さらに油受け部２４へ向かう溝２６に沿って流れ、最終的に油受け部２４へと流れこみ、油受け部２４の凹み形状２５の凹部に溜まる。油受け部２４がない側は、油が伝ってながれ、最終的には排気筒１６内へ落ちる。前に記載したとおり凸部の方が付着する油の量も多いため、コの字形状の油煙付着捕集プレート１７の中央面の凸形状２１が形成された側に油受け部２４が形成されていることで、より多くの油を油受け部２４にためることができる。
【００４５】
また、油受け部２４が油煙付着捕集プレート１７と略直角であるため、溜めた油を保持しやすい。
【００４６】
そして、調理終了後、冷めてから、油煙付着捕集プレート１７の上部の穴および凹凸形状のつまみ部２８を指でつまんで上方へ持ち上げる。加熱庫７からの排気は温度が高く、油煙付着捕集プレート１７も１００度を超えるため、冷めてから取り出さないとやけどの危険があり、油煙付着捕集プレート１７が高温であることの注意を促す文字「高温注意」を記載している。
【００４７】
さらに、取り出した油煙付着捕集プレート１７を誤って挿入しないように加熱庫用排気口の開口最大寸法よりも大なるフランジ部２７を設けて、間違った方向にはいらず、ちがう穴にはいらないようにしている。
【００４８】
以上のように、本実施の形態によっては、加熱庫７から本体１外へ連通接続され排気経路を形成する排気筒１６内の本体１外方側に、本体１外から着脱可能とした油煙付着捕集
プレート１７を設けたことにより、使用者が定期的に油煙付着捕集プレート１７をとりはずして、付着した油脂を清掃することが可能となり、メンテナンス性を向上することができる。
【００４９】
また、本実施の形態の油煙付着捕集プレート１７に凹形状２２及び凸形状２１を少なくとも１箇所以上設けることにより、排気経路内の油煙が凹凸形状に衝突して油煙の油脂分の付着が増加することとなり、機体外へ排出される油脂分を低減することができる。
【００５０】
また、本実施の形態の油煙付着捕集プレート１７は排気筒１６の排気経路と略平行な面を有し、排気筒１６と油煙付着捕集プレート１７で仕切られた空間が広い方に凸形状２１を設けたことにより、空間が広い分、凸形状２１による排気経路内の通気抵抗の増加を、排気筒１６と油煙付着捕集プレート１７で仕切られた空間が狭い方に凸形状２１を設けた場合よりも抑えることができ、凸形状２１に油煙の油脂分を付着させることができる。
【００５１】
また、本実施の形態の油煙付着捕集プレート１７を本体１に取り付けた状態における油煙付着捕集プレート１７の下部に油煙付着捕集プレート１７と略直角に形成された油受け部２４を設けたことにより、垂れ落ちる油煙付着捕集プレート１７に付着した油脂分を油受け部２４に溜めることができ、排気経路内へ、油脂分が垂れて付着することを低減することができる。
【００５２】
また、本実施の形態の油受け部２４は凸形状２１が形成された側に設けたことにより、凹凸で比較すると、凸形状２１の方が、排気経路内の油煙が衝突しやすく、排気経路内の油煙の油脂分が比較的付着しやすいため、付着した油脂分も多く垂れ落ちる油脂分が多くなる。より多く油脂分が垂れる下側に油受け部２４を設けることで、排気経路内へ、油脂分が垂れて残ることを低減することができる。
【００５３】
また、本実施の形態の油受け部２４に凹み形状２５を設けたことにより、垂れ落ちる油煙付着捕集プレート１７に付着した油脂分を油受け部２４の凹み形状２５により多く溜めることができ、取り外す際も、油脂分がこぼれにくくすることができる。
【００５４】
また、本実施の形態の油受け部２４へ向かう溝２６を設けたことにより、油煙付着捕集プレート１７に付着した油脂分が油受け部２４へ向かう溝２６により油受け部２４に誘導され、油受け部２４に効率よくためることができる。そのため、排気経路内へ、油脂分が垂れ落ちることを低減することができる。
【００５５】
また、本実施の形態の油煙付着捕集プレート１７に貫通穴２３を設けたことにより、油煙が貫通穴２３を通過し、それにより、油煙付着捕集プレート１７に油煙が衝突しやすくなり、油煙の油脂分の付着を増加することができる。
【００５６】
また、本実施の形態の油煙付着捕集プレート１７はコの字形状とし、コの字の両側面が排気筒１６の一対面と平行とし、コの字の両側面の排気筒１６側に突起の引っ掛け部１９を設け、突起の引っ掛け部１９に相対する位置の排気筒１６に切欠き部の保持部２０を設けて掛ける構成としたことにより、排気筒１６に沿うように本体１外方から油煙付着捕集プレート１７をスライドさせて挿入し、排気筒１６の切欠き部の保持部２０に油煙付着捕集プレート１７の突起の引っ掛け部１９を掛けてセットでき、油煙付着捕集プレート１７の着脱を容易に行うことができる。
【００５７】
また、本実施の形態の油煙付着捕集プレート１７の上部に排気筒１６の開口最大寸法よりも大なるフランジ部２７を設けたことにより、油煙付着捕集プレート１７を排気筒１６の開口に挿入した際に、フランジ部２７がかかり、排気筒１６内部へ脱落することがなく
、また、排気筒１６の開口に誤った方向に挿入した際に、フランジ部２７があたり、油煙付着捕集プレート１７の上下挿入方向を間違えることがなく、誤セットを防ぐことができる。
【００５８】
また、本実施の形態の油煙付着捕集プレート１７を製品に取り付けた状態における油煙付着捕集プレート１７の上部に穴または凹凸形状のつまみ部２８を設けたことにより、油煙付着捕集プレート１７を取り外す際に、つまみ部２８をつかんで、容易に取り外すことができる。
【００５９】
また、本実施の形態の油煙付着捕集プレート１７に高温であることの注意を促す文字２９や（図示していない）マークを設けたことにより、使用者に特に取り外す際に、調理後冷める前に油煙付着捕集プレート１７をさわってやけどをしないように注意を促すことができる。
【００６０】
また、本実施の形態の油煙付着捕集プレート１７に本体１に取り付ける方向を表す文字３０や方向を表すマーク３１を設けたことにより、使用者に取り付ける方向を認識できるようにし、より容易に油煙付着捕集プレート１７をセットすることができる。
【産業上の利用可能性】
【００６１】
以上のように、本発明にかかる加熱調理器は、使用者が定期的に油煙付着捕集プレートをとりはずして、付着した油脂を清掃することが可能となり、メンテナンス性を向上することができるので、キッチンに組み込む加熱調理器に限らず、テーブル上に据え置くタイプの加熱調理器の用途にも適用できる。
【符号の説明】
【００６２】
１  本体
２  トッププレート
３  加熱コイル
４  制御回路
５  送風機
６  表示・操作部
７  加熱庫
８  排気開口部
９  冷却用排気口
１０  加熱庫用排気口
１１  上ケース
１２  下ガラス
１３  上加熱体（加熱手段）
１４  下加熱体（加熱手段）
１５  加熱皿（加熱手段）
１６  排気筒
１７  油煙付着捕集プレート
１８  両側部
１９  引っ掛け部
２０  保持部
２１  凸形状
２２  凹形状
２３  貫通穴（孔）
２４  油受け部
２５  凹み形状（凹み）
２６  溝
２７  フランジ部
２８  つまみ部
２９  注意を促す文字
３０  方向を表す文字
３１  方向を表すマーク
４１  触媒
【図１】
2018038697.tif 000003
【図２】
2018038697.tif 000004
【図３】
2018038697.tif 000005
【図４】
2018038697.tif 000006
【図５】
2018038697.tif 000007
【図６】
2018038697.tif 000008
【図７】
2018038697.tif 000009